(57)【要約】【課題】インパクト式のねじ締め機等の電動工具には、外面に滑り止め若しくは衝撃吸収用の弾性樹脂層を被覆したものが提供される。また、この種の電動工具では、製品仕様や使用上の注意事項等を表示したラベルが貼り付けられる。このラベルは弾性樹脂層を避けたハウジング外面に貼り付ける必要上、従来その貼り付け部位について制約が大きかった。本発明では、ラベル貼り付け部位の選択について自由度を高めることを目的とする。【解決手段】ハウジングＨ１３の外面に弾性樹脂層１９と同じ色のラベル貼り付け部１３ａを設ける。このラベル貼り付け部１３ａにラベルＬ１を貼り付けることにより、外観を損なうことなく確実にラベルＬ１が貼り付けられるようにする。【選択図】図１
2017136666.tif 000002
【特許請求の範囲】
【請求項１】
ハウジングの外面に、該ハウジングとは色が異なる弾性樹脂層が被覆されており、前記ハウジングの、前記弾性樹脂層が被覆されていない部位に前記弾性樹脂層と同じ色のラベル貼り付け部を設け、該ラベル貼り付け部に各種の情報を表示するラベルを貼り付けた電動工具。
【請求項２】
請求項１記載の電動工具であって、電動モータを内装した工具本体部と、該工具本体部の側部から側方へ延びるグリップ部と、該グリップ部から矩形平板形に張り出す電源部を備えており、該電源部の電源部ハウジングの一部に前記弾性樹脂層が被覆されており、該電源部ハウジングの、前記弾性樹脂層が被覆されていない部位に前記ラベル貼り付け部を一体に設けた電動工具。
【請求項３】
ハウジングの外面に、専用の読み取り機で読み取り可能な表示部を設けた電動工具。
【請求項４】
請求項３記載の電動工具であって、前記ハウジングの外面にＱＲコードを表示して前記表示部とした電動工具。
【請求項５】
工具本体部に先端工具を装着するための先端工具保持部を備えており、該先端工具保持部は、前記先端工具を装着、取り外し操作するための操作部材を備えており、該操作部材の外面に各種の情報を表示した電動工具。
【請求項６】
請求項５記載の電動工具であって、前記操作部材として金属製で円筒形の操作スリーブを備えており、該操作スリーブの外面には滑り止め用のローレット加工が施されており、該操作スリーブの外面に文字及び記号を刻印して前記各種の情報を表示した電動工具。
【発明の詳細な説明】
【技術分野】
【０００１】
この発明は、例えばねじ締め作業に用いるねじ締め機等の電動工具に関する。
【背景技術】
【０００２】
下記の特許文献１には、例えば建築現場等で用いる手持ち式のねじ締め機に関する技術が開示されている。この種の電動工具には、その仕様や取り扱い上の注意事項あるいは製品型式等の各種情報を表示するラベル（情報表示ラベル）が貼り付けられている。この種のラベルの表示内容、大きさあるいは貼り付け部位は、使用する国や地域（仕向け地）に合わせて適切に設定されている。通常この種のラベルは、電動工具の外面の目視しやすい空きスペースに貼り付けられている。
【先行技術文献】
【特許文献】
【０００３】
【特許文献１】特開２０１２−１３９７４７号公報
【発明の概要】
【発明が解決しようとする課題】
【０００４】
近年、ねじ締め機等の電動工具についてはその小型化が図られているが、上記情報表示ラベルについては、その視認性を確保する必要があり、また一定量の情報を表示する必要があることから、当該ラベルを小さくすることには限界がある。このため、小型化が図られる電動工具に情報表示ラベルを貼り付けることが困難になってきている。
【０００５】
また、電動工具の表面には滑り止めや落下時の衝撃緩和を図るためにゴムシート等の弾性部材が被覆されている。弾性部材は変形しやすく、貼り付け部位として不向きであるため、情報表示ラベルの貼り付け部位は当該弾性部材が被覆されていない部位に限定され、この点でも一定の貼り付けスペースを要する情報表示ラベルの貼り付け部位について制約が多くなっている。
【０００６】
本発明は、係る従来の問題に鑑みてなされたもので、電動工具の外面に情報表示部を設定する際の自由度を高めることを目的とする。
【課題を解決するための手段】
【０００７】
上記の課題は、以下の各発明により解決される。第１の発明は、ハウジングの外面に、該ハウジングとは色が異なる弾性樹脂層が被覆されており、ハウジングの、弾性樹脂層が被覆されていない部位に弾性樹脂層と同じ色のラベル貼り付け部を設け、このラベル貼り付け部に各種の情報を表示するラベルを貼り付けた電動工具である。
【０００８】
第１の発明によれば、情報表示部としてのラベルが弾性樹脂層と同じ色ではあるが、弾性樹脂層ではなく貼り付けに適したハウジングの外面に貼り付けられることから、外観上は弾性樹脂層にラベルが貼り付けられたように見えるが、ラベルは弾性樹脂層ではなくハウジングの外面に確実に貼り付けておくことができる。従来ラベルを貼り付けるために弾性樹脂層を被覆させない部位をハウジングの一部に確保する必要があり、係る部位は弾性樹脂層とは色が異なる点で外観（デザイン）を損なう問題があった。
【０００９】
第１の発明によれば、弾性樹脂層と同じ色の部位にラベルが貼り付けられる構成であるので、外観を損なうことなくラベルを確実に貼り付けておくことができ、この点で当該ラベル貼り付け部位の選択について自由度を高めることができる。ラベル貼り付け部の色は、ハウジング成形時に例えばいわゆる二色成形あるいは二重成形により設定することができる。またラベル貼り付け部の色は、ハウジング成形後に着色してもよい。さらに、弾性樹脂層と同じ色を有する樹脂製のラベル貼り付け部を別途用意し、これをハウジングに結合する構成とすることができる。
【００１０】
第２の発明は、第１の発明において、電動モータを内装した工具本体部と、工具本体部の側部から側方へ延びるグリップ部と、グリップ部から矩形平板形に張り出す電源部を備えた電動工具である。第２の発明では、電源部の電源部ハウジングの一部に弾性樹脂層が被覆されている。第２の発明では、電源部ハウジングの、弾性樹脂層が被覆されていない部位にラベル貼り付け部を一体に設けた構成となっている。
【００１１】
第２の発明によれば、電源部ハウジングの外面であって、弾性樹脂層と同じ色のラベル貼り付け部にラベルを貼り付けることができる。これにより電源部ハウジングの外観を損なうことなく、ラベルを確実に貼り付けておくことができ、ひいては当該ラベル貼り付け部位の選択について自由度が高まる。
【００１２】
第３の発明は、ハウジングの外面に、専用の読み取り機で読み取り可能な表示部を設けた電動工具である。
【００１３】
第３の発明によれば、同等の情報量をより小さな表示部で表示することができ、この点で表示部を配置する部位の選択について自由度を高めることができる。専用の読み取り機で読み取り可能な表示部として、例えばＱＲコード（株式会社デンソーの登録商標第４０７５０６６号、以下同じ）やバーコードを表示したラベルをハウジングの外面に貼り付けておくことができる。
【００１４】
第４の発明は、第３の発明において、ハウジングの外面にＱＲコードを表示して前記表示部とした電動工具である。
【００１５】
第４の発明によれば、ＱＲコードを専用の読み取り機で読み取ることにより、当該電動工具の製品仕様、使用上の注意事項等の情報を理解することができる。ＱＲコードにより情報を表示することにより、より小さなスペースに多くの情報を表示することができ、この点で情報を表示する部位の選択について従来よりも自由度を高めることができる。
【００１６】
第５の発明は、工具本体部に先端工具を装着するための先端工具保持部を備えており、該先端工具保持部は、前記先端工具を装着、取り外し操作するための操作部材を備えており、該操作部材の外面に各種の情報を表示した電動工具である。
【００１７】
第５の発明によれば、各種の情報を表示する表示部を配置する部位として従来考慮されていなかった部位を用いる構成であり、この点で表示部を配置する部位についての自由度を高めることができる。
【００１８】
第６の発明は、第５の発明において、操作部材として金属製で円筒形の操作スリーブを備えた電動工具である。第６の発明では、操作スリーブの外面には滑り止め用のローレット加工が施されている。第６の発明では、操作スリーブの外面に文字及び記号を刻印して各種の情報を表示した構成を備えている。
【００１９】
第６の発明によれば、外周面にローレット加工が施されている等の理由により従来情報表示部として利用されていなかった部位に各種の情報を表示することができ、この点で当該電動工具に関する各種の情報を表示すための部位を選択する自由度が従来よりも高まる。
【図面の簡単な説明】
【００２０】
【図１】本発明の第１実施形態に係る電動工具であってねじ締め機の全体斜視図である。
【図２】本発明の第２実施形態に係る電動工具であってディスクグラインダの全体斜視図である。
【図３】第３実施形態に係る電動工具であってねじ締め機の全体側面図である。
【図４】第４実施形態に係る電動工具であってねじ締め機の全体斜視図である。
【図５】全体ハウジングの分解斜視図である。
【発明を実施するための形態】
【００２１】
次に、本発明の実施形態を図１〜図５に基づいて説明する。図１は、第１実施形態に係る電動工具１０を示している。本例では、電動工具１０の一例として、いわゆるインパクト式のねじ締め機（インパクトドライバ）が示されている。以下の説明において、電動工具１０の前後方向については、出力側（先端工具Ｂ側）を前側とし、使用者から見て手前側を後ろ側とする。また、左右方向についてはグリップ部１２を把持した使用者を基準にして用いる。
【００２２】
電動工具１０は、工具本体部１１と、工具本体部１１の下面から下方へ突き出す状態に設けられたグリップ部１２と、グリップ部１２の下部に設けられた電源部１３を備えている。電源部１３にバッテリパック１４が取り付けられている。図５に示すように工具本体部１１とグリップ部１２と電源部１３の各部のハウジングは、樹脂製ハウジング（全体ハウジングＨ）の一部として一体に設けられている。全体ハウジングＨは、左側の分割ハウジングＨＬと右側の分割ハウジングＨＲを相互に突き合わせてねじ結合した左右半割り構造を有している。以下の説明では、全体ハウジングＨのうち、工具本体部１１のハウジングに相当する部位を本体部ハウジングＨ１１と称し、グリップ部１２のハウジングに相当する部位をグリップ部ハウジングＨ１２と称し、電源部１３のハウジングに相当する部位を電源部ハウジングＨ１３と称して必要に応じて区別する。
【００２３】
概ね円筒形状を有する本体部ハウジングＨ１１の前部には、金属製のケース１７が４本の固定ねじ１７ａで結合されている。ケース１７は、樹脂製のケースカバー１７ｂで覆われている。このケース１７は、インパクトケースであり、このケース１７を含めて本体部ハウジングＨ１１には、後側から電動モータ、減速ギヤ列、打撃機構が同軸に内装されている。回転打撃機構の出力軸に相当するアンビルの先端部がケース１７の前部から前方へ突き出されている。この突き出し部分に、ドライバビット等の先端工具Ｂを装着するためのビット装着部１５が設けられている。
【００２４】
グリップ部１２（グリップ部ハウジングＨ１２）は、使用者が当該電動工具１０を使用する際に把持する部分であり、その前面上部には使用者が指先で引き操作するトリガ１６が設けられている。このトリガ１６を引き操作するとグリップ部ハウジングＨ１２内に収容したメインスイッチがオンして駆動源としての電動モータが起動する。電動モータの出力は減速ギヤ列で減速されて回転打撃機構に伝達される。ビット装着部１５に装着した先端工具Ｂを経て付加されるねじ締め負荷が一定値に達すると、回転打撃機構により先端工具Ｂに対してねじ締め方向の打撃が間歇的に出力される。この回転打撃力によりねじ締めが一定のトルクで確実になされる。
【００２５】
電源部１３の電源部ハウジングＨ１３は、グリップ部ハウジングＨ１２の下部から主として前方へ張り出す状態に設けられている。電源部ハウジングＨ１３は、概ね矩形の平板形状を有している。電源部ハウジングＨ１３内には、電動モータの回転動作を制御するコントローラ及びバッテリ接続用端子を含む電源接続部が収容されている。この電源部ハウジングＨ１３の下面側に沿ってバッテリパック１４が装着される。バッテリパック１４は、電源部ハウジングＨ１３に対して前後にスライドさせることにより取り付け、取り外しすることができる。バッテリパック１４は、電源部１３に対して前側から後側に向けてスライドさせて取り付けると、電源接続部の接続端子に電気的に接続される。バッテリパック１４は、取り外して別途用意した充電器で充電することにより繰り返し使用することができる。バッテリパック１４は、バッテリケースに複数本のバッテリセルを内装したリチウムイオンバッテリで、取り外して他の電動工具の電源として取り付けることができるもので高い汎用性を有している。バッテリパック１４の前面には、電源部１３に対する取り付けロック状態にするためのロックボタン１４ａが設けられている。電源部１３の左側部には、ベルト掛け用のフック１８が設けられている。
【００２６】
図１及び図５に示すように本体部ハウジングＨ１１とグリップ部ハウジングＨ１２と電源部ハウジングＨ１３の外面には、把持した手の滑り止めをするための弾性樹脂層１９が被覆されている。弾性樹脂層１９は、本体部ハウジングＨ１１の主として後部側、グリップ部ハウジングＨ１２の前面側及び後面側、電源部ハウジングＨ１３の上面及び側面に被覆されている。弾性樹脂層１９は、エラストマ樹脂層で、左右の分割ハウジングＨＬ，ＨＲの成形時に２色成形等により被覆されている。図１では、弾性樹脂層１９に斜線が付されてその被覆範囲が示されている。全体ハウジングＨの素材色を第１色Ｃ１とすると、弾性樹脂層１９は、第１色Ｃ１とは異なる第２色Ｃ２の素材色を有している。第１色Ｃ１は例えば黒色であり、第２色Ｃ２は例えば青色とすることができる。
【００２７】
電源部ハウジングＨ１３の上面であって、弾性樹脂層１９の前側には、ラベル貼り付け部１３ａが設けられている。図１ではラベル貼り付け部位１３ａに、弾性樹脂層１９とは向きが異なる斜線が付されて当該電源部ハウジングＨ１３の他の部位とは区別されている。ラベル貼り付け部１３ａは、電源部ハウジングＨ１３の一部として平板段付き形状に成形されている部位であるが、他の部位とは異なる色で成形されている。ラベル貼り付け部１３ａは弾性樹脂層１９と同じ第２色Ｃ２を有している。このため、外観的（着色的）には、ラベル貼り付け部１３ａは弾性樹脂層１９の一部として認識できるようになっている。このラベル貼り付け部１３ａの上面に第１ラベルＬ１が貼り付けられている。
【００２８】
このラベル貼り付け部１３ａは、ラベル類を貼り付けるための部位とするため弾性樹脂層１９で覆われていない部位であり、従来であれば電源部ハウジングの他の部位と同じ色を有する部位となっていたが、本実施形態では弾性樹脂層１９と同じ第２色Ｃ２を有する部位となっている。このため、第１ラベルＬ１は、外観上は弾性樹脂層１９に貼り付けられていると認識しやすくなっている。しかしながら、第１ラベルＬ１は、電源部ハウジングＨ１３の一部であるラベル貼り付け部１３ａに貼り付けられていることから、弾性樹脂層１９に貼り付けた場合に剥がれやすいといったことはなく、しっかりと確実に貼り付けられている。第１ラベルＬ１には、例えば当該電動工具１０の使用上の注意事項等が表示されている。
【００２９】
以上のように構成した第１実施形態の電動工具１０によれば、情報表示部としての第１ラベルＬ１が弾性樹脂層１９と同じ色を有する電源部ハウジングＨ１３に貼り付けられている。電源部ハウジングＨ１３の外面は、弾性樹脂層１９とは異なって変形がないため当該ラベルやシール類の貼り付けに適している。このため、第１実施形態によれば、外観上は弾性樹脂層１９に第１ラベルＬ１が貼り付けられたように見えるが、当該第１ラベルＬ１は電源部ハウジングＨ１３の外面に確実に貼り付けておくことができる。
【００３０】
このように、材質的には弾性樹脂層１９とは異なるが、弾性樹脂層１９と同じ第２色Ｃ２のハウジング外面に第１ラベルＬ１が貼り付けられる構成であることから、外観上弾性樹脂層１９と同じ第２色Ｃ２の部位に第１ラベルＬ１を貼り付けることができる。このことから、第１実施形態によれば従来弾性樹脂層を避けた部位にラベル類を貼り付ける構成に比して、少なくとも外観上は当該第１ラベルＬ１の貼り付け部位の選択について自由度を高めることができる。
【００３１】
また、第１ラベルＬ１を貼り付ける部位（ラベル貼り付け部１３ａ）が弾性樹脂層１９と同じ第２色Ｃ２を有して色差をなくすことにより、当該ラベル貼り付け部１３ａについてラベル貼り付け機能とデザインを両立させることができる。
【００３２】
図２には第２実施形態に係る電動工具２０が示されている。第１実施形態では、電動工具１０としてねじ締め機を例示したが、第２実施形態では電動工具２０としてディスクグラインダを例示する。ディスクグラインダについて、第１実施形態と同様のラベル貼り付け構造が適用されている。
【００３３】
電動工具２０は、駆動源としての電動モータを内装した本体部２１と、本体部２１の前部に結合されたギヤヘッド部２２と、本体部２１の後部に設けられた電源部２３を有している。電動工具２０の全体ハウジングＨは、第３色Ｃ３の樹脂材料を素材として成形した樹脂ハウジングで、本体部２１の本体部ハウジングＨ２１と、電源部２３の電源部ハウジングＨ２３が一体に成形された左右半割り構造を備えている。本体部ハウジングＨ２１は概ね円筒形状を有しており、使用者が把持するグリップ部としての機能を有している。本体部２１の下面に、パドル操作式のスイッチレバー２８が設けられている。スイッチレバー２８には、オフ位置にロックするためのロックオフレバー２８ａが設けられている。本体部２１を把持した手の指先でロックオフレバー２８ａを解除操作しながらスイッチレバー２８を引くと電動モータが起動して刃具２５が回転する。スイッチレバー２８を離すと電動モータが停止して刃具２５の回転が停止される。
【００３４】
ギヤヘッド部２２は、金属製のギヤヘッド部ハウジングＨ２２に内装したかさ歯車の噛み合いを経て電動モータの回転出力をモータ軸に直交する方向に変換しつつ減速する機能を有するもので、下方へ突き出すスピンドル２４を備えている。ギヤヘッド部ハウジングＨ２２は金属製で本体部ハウジングＨ２１の前部に４本の固定ねじ２２ａで結合されている。スピンドル２４の下部に円形の刃具（砥石）２５が取り付けられている。刃具２５の後側ほぼ半周の範囲は刃具カバー２６で覆われて粉塵の使用者側への飛散が防止されている。
【００３５】
電源部２３は、電源としてのバッテリパック２７を取り付ける部位で、第１実施形態の電動工具１０における電源部１３に相当する。電源部２３の電源部ハウジングＨ２３は、本体部ハウジングＨ２１の後部に一体に成形されている。第１実施形態と同様、電源部ハウジングＨ２３内には、電動モータの回転動作を制御するコントローラ及びバッテリ接続用端子を含む電源接続部が収容されている。この電源部ハウジングＨ２３の後面側に沿ってバッテリパック２７が装着される。バッテリパック２７は、第１実施形態のバッテリパック１４をそのまま用いることができる。
【００３６】
本体部ハウジングＨ２１と電源部ハウジングＨ２３の外面に主として滑り止め用及び衝撃吸収用の弾性樹脂層２９が被覆されている。本体部ハウジングＨ２１の上面及び左右両側面であって使用者の把持した手が当たる部位に弾性樹脂層２９が被覆されている。電源部ハウジングＨ２３については、その左右側部と下面部を除いてそのほぼ全面が弾性樹脂層２９が被覆されて主として弾性吸収がなされるようになっている。図２では、弾性樹脂層２９に斜線が付されてその被覆範囲が示されている。弾性樹脂層２９は、全体ハウジングＨの第３色Ｃ３とは異なる第４色Ｃ４の弾性材料を素材として成形されて、本体部ハウジングＨ２１と電源部ハウジングＨ２３の外面に被覆されている。第１実施形態と同様、第３色Ｃ３は例えば青色（ハウジング色）、第４色Ｃ４は例えば黒色（ゴム色）に設定することができる。
【００３７】
電源部ハウジングＨ２３の下面部において、弾性樹脂層２９に矩形の窓部２９ａが設けられている。この窓部２９ａを経て電源部ハウジングＨ２３が露出されている。窓部２９ａを経て露出される範囲であって電源部ハウジングＨ２３の下面の一部範囲（弾性樹脂層２９とは異なる向きの斜線を付した範囲）は、弾性樹脂層２９と同じ第４色Ｃ４に着色されている。窓部２９ａの内側に、第２ラベルＬ２が貼り付けられている。
【００３８】
このように構成した第２実施形態によっても、当該電動工具２０の使用上の注意事項等が記載された第２ラベルＬ２が、弾性樹脂層２９と同じ第４色Ｃ４に着色された電源部ハウジングＨ２３に貼り付けられている。このため、第２実施形態によっても、外観上は弾性樹脂層２９に第２ラベルＬ２が貼り付けられたように見えるが、当該第２ラベルＬ２は電源部ハウジング２３の外面に確実に貼り付けておくことができる。このように、材質的には弾性樹脂層２９とは異なるが、弾性樹脂層２９と同じ第４色Ｃ４の全体ハウジングＨの外面に第２ラベルＬ２が貼り付けられる構成であることから、外観上弾性樹脂層２９と同じ第４色Ｃ４の部位に第２ラベルＬ２を貼り付けることができる。このことから、第２実施形態によっても従来弾性樹脂層を避けた部位にラベル類を貼り付ける構成に比して、少なくとも外観上は当該第２ラベルＬ２の貼り付け部位の選択について自由度を高めることができる。
【００３９】
図３には第３実施形態に係る電動工具３０が示されている。この電動工具３０には、第１実施形態と同じくインパクト式のねじ締め機が例示されている。第１実施形態と同じく電動工具３０は、工具本体部３１と、工具本体部３１の下面から下方へ突き出す状態に設けられたグリップ部３２と、グリップ部３２の下部に設けられた電源部３３を備えている。電源部３３にバッテリパック３４が取り付けられている。工具本体部３１とグリップ部３２と電源部３３の各部のハウジングは、左右半割り構造の全体ハウジングＨの一部として一体に設けられている。以下、第１実施形態に係る電動工具１０と同様の構成については説明を省略する。なお、図３中、符号３５はビット装着部を示し、符号３６はスイッチレバーを示し、符号３７は金属製のケースを示し、符号３７ａは樹脂製のケースカバーを示している。
【００４０】
工具本体部３１の本体部ハウジングＨ３１とグリップ部３２のグリップ部ハウジングＨ３２と電源部３３の電源部ハウジングＨ３３の外面には、把持した手の滑り止め及び落下時等の衝撃吸収をするための弾性樹脂層３９が被覆されている。弾性樹脂層３９は、本体部ハウジングＨ３１の主として後部側、グリップ部ハウジングＨ３２の前面側及び後面側、電源部ハウジングＨ３３の上面及び左右側部に被覆されている。弾性樹脂層３９は、エラストマ樹脂層で、全体ハウジングＨの成形時に２色成形等により被覆されている。図３では弾性樹脂層３９の被覆範囲に斜線を付して示していないが、弾性樹脂層３９は第１実施形態とほぼ同じ範囲に被覆されている。
【００４１】
工具本体部３１の左右両側部には、弾性樹脂層３９で被覆されていない露出部３８が設けられている。この露出部３８は、前後に長い概ね矩形に設けられている。この露出部３８では、本体部ハウジングＨ３１の外面が露出されている。この露出部３８に第３ラベルＬ３が貼り付けられている。第３ラベルＬ３には、製品仕様、使用上の注意事項等が仕向け地（使用国）の言語あるいは英数字で表示されている。また、第３ラベルＬ３には、ＱＲコードやバーコードにより、これらの文字情報が表示されている。ＱＲコードやバーコードは、専用の読み取り機や専用の読み取りソフト等により読み取り可能で、これら文字情報がデータ的に圧縮された状態で表示されている。ＱＲコード等に表示される内容としては、例えば当該電動工具３０の各種動作モードの説明やモード切替操作についての詳細な説明を含めることができる。
【００４２】
以上のように構成した第３実施形態の電動工具３０によれば、第３ラベルＬ３にＱＲコードやバーコードが表示されており、これらを専用の読み取り機を用いることにより、当該電動工具３０の使用上の注意事項等の文字情報を読み取ることができる。ＱＲコードやバーコードを用いることにより文字情報をより小さな表示スペースに表示することができ、この点で第３ラベルＬ３を貼り付ける部位の選択について自由度が高まる。
【００４３】
図４には、第４実施形態の電動工具４０が示されている。第４実施形態も第１、第３実施形態と同じく電動工具４０としてインパクト式のねじ締め機を例示している。従って、第４実施形態の電動工具４０は、電動モータを内装した工具本体部４１と、工具本体部４１の下面から下方へ突き出す状態に設けられたグリップ部４２と、グリップ部４２の下部に設けられた電源部４３を備えている。グリップ部４２の前面にスイッチレバー４６が設けられている。電源部４３にバッテリパック４４が取り付けられている。工具本体部４１とグリップ部４２と電源部４３の各部のハウジングは、左右半割り構造の全体ハウジングＨとして一体に設けられている。本体部ハウジングＨ４１とグリップ部ハウジングＨ４２と電源部ハウジングＨ４３の外面には、把持した手の滑り止めをするための弾性樹脂層４９が被覆されている。図４では弾性樹脂層４９の被覆範囲に斜線を付して示していないが、弾性樹脂層４９は第１実施形態とほぼ同じ範囲に被覆されている。
【００４４】
概ね円筒形状を有する本体部ハウジングＨ４１の前部には、金属製のケース４７が４本の固定ねじ４７ａで結合されている。ケース４７は、樹脂製のケースカバー４７ｂで覆われている。ケース４７を含めて本体部ハウジングＨ４１には、後側から電動モータ、減速ギヤ列、打撃機構が同軸に内装されている。回転打撃機構の出力軸に相当するアンビルの先端部が金属製のケース４７の前部から前方へ突き出されている。この突き出し部分に、ドライバビット等の先端工具Ｂを装着するためのビット装着部４５が設けられている。
【００４５】
ビット装着部４５は、金属製で円筒形の操作スリーブ４５ａを備えている。操作スリーブ４５ａは、先端刃具Ｂを装着孔４５ｂに差し込んだ取り付け状態にロックする前側へばね付勢されている。操作スリーブ４５ａをばね付勢に抗して後側にスライド操作することにより先端刃具Ｂを装着孔４５ｂに差し込んで取り付け、抜き出して取り外しすることができる。この操作スリーブ４５ａの外周面には、指先の滑り止めをするためにローレット加工が施されている。
【００４６】
操作スリーブ４５ａの外周面は、各種の情報を報知するための表示部４８としての機能を有している。操作スリーブ４５ａの外周面には、取り付ける先端工具Ｂの適合性（取り付け可能な先端工具の差し込み深さ）、操作スリーブ４５ａの操作方法等を表示する文字及び記号等が表示されている。この表示部４８は、打刻、レーザー光による刻印、あるいは印刷等の手段により表示することができる。
【００４７】
第４実施形態の電動工具４０によれば、通常滑り止め用のローレット加工等が施されるに過ぎない操作スリーブ４５ａの外周面が、先端工具Ｂの適合性やその操作方法等の情報を表示するための表示部４８として利用されているおり、この点で当該電動工具４０の各種情報を表示する部位について選択の自由度を高めることができる。
【００４８】
以上説明した実施形態には種々変更を加えることができる。例えば、第１実施形態において、電源部ハウジングＨ１３の上面前部に第２色Ｃ２のラベル貼り付け部１３ａを設けた構成を例示したが、電源部ハウジングＨ１３の側部あるいは本体部ハウジングＨ１１の上面に弾性樹脂層１９と同じ第２色Ｃ２の表示部を設けた構成としてもよい。
【００４９】
また、図１において工具本体部１１の上面を、金属製のケース１７と同じ色（金属色）にすることも可能である。この場合は、金属色の本体部ハウジングＨ１１の上面にラベルを貼り付けるようにしてもよい。
【００５０】
また、第２実施形態において、第３ラベルＬ３にＱＲコードやバーコードに加えて、文字や記号等使用者が直接読み取ることができる情報を表示する構成としてもよい。ＱＲコードやバーコードは、工具本体部３１の側部に限らず上面あるいは後面に表示してもよく、さらにはグリップ部３２や電源部３３に表示する構成としてもよい。
【００５１】
ＱＲコードで取扱説明書や分解図のＵＲＬ(Uniform Resource Locator)を読み取り可能としてもよい。これにより、例えばスマートフォンによりＱＲコードを読み取り、インターネットを介して取扱説明書や分解図を確認することができるようになる。
【００５２】
また、第４実施形態において、軸方向に移動操作する操作スリーブ４５ａを例示したが、軸回りに回転操作する操作スリーブの外面に同様の表示部４８を設ける構成としてもよい。
【００５３】
各実施形態では充電式バッテリを電源とする電動工具１０，２０，３０，４０を例示したが、商用１００Ｖを電源とする交流電源式の電動工具について例示した情報表示部（ラベルＬ１，Ｌ２，Ｌ３、表示部４８）を適用することができる。
【００５４】
各実施形態において電動工具としてインパクト式のねじ締め機あるいはディスクグラインダを例示したが、金属材や木材の切断加工に用いる切断機、剥離や切抜き等の各種作業に用いるマルチツール等その他の形態の電動工具に広く適用することができる。
【符号の説明】
【００５５】
１０…電動工具（第１実施形態）
１１…工具本体部
１２…グリップ部
１３…電源部、１３ａ…ラベル貼り付け部
１４…バッテリパック、１４ａ…ロックボタン
Ｈ…全体ハウジング
ＨＬ…分割ハウジング（左側）、ＨＲ…分割ハウジング（右側）
Ｈ１１…本体部ハウジング
Ｈ１２…グリップ部ハウジング
Ｈ１３…電源部ハウジング
１５…ビット装着部
１６…トリガ
１７…ケース、１７ａ…固定ねじ、１７ｂ…ケースカバー
１８…フック
１９…弾性樹脂層
Ｌ１…第１ラベル
Ｃ１…第１色
Ｃ２…第２色
Ｂ…先端工具（ドライバビット）
２０…電動工具（第２実施形態）
２１…本体部
２２…ギヤヘッド部、２２ａ…固定ねじ
２３…電源部
２４…スピンドル
Ｃ３…第３色
Ｃ４…第４色
Ｈ２１…本体部ハウジング
Ｈ２２…ギヤヘッド部ハウジング
Ｈ２３…電源部ハウジング
２５…刃具
２６…刃具カバー
２７…バッテリパック
２８…スイッチレバー、２８ａ…ロックオフレバー
２９…弾性樹脂層
Ｌ２…第２ラベル
３０…電動工具（第３実施形態）
３１…工具本体部
３２…グリップ部
３３…電源部
３４…バッテリパック
３５…ビット装着部
３６…スイッチレバー
３７…ケース、３７ａ…ケースカバー
３８…露出部
３９…弾性樹脂層
Ｈ３１…本体部ハウジング
Ｈ３２…グリップ部ハウジング
Ｈ３３…電源部ハウジング
Ｌ３…第３ラベル
４０…電動工具（第４実施形態）
４１…工具本体部
４２…グリップ部
４３…電源部
４４…バッテリパック
４５…ビット装着部
４５ａ…操作スリーブ、４５ｂ…装着孔
Ｈ４１…本体部ハウジング
Ｈ４２…グリップ部ハウジング
Ｈ４３…電源部ハウジング
４７…ケース、４７ａ…固定ねじ、４７ｂ…ケースカバー
４８…表示部
４９…弾性樹脂層
【図１】
2017136666.tif 000003
【図２】
2017136666.tif 000004
【図３】
2017136666.tif 000005
【図４】
2017136666.tif 000006
【図５】
2017136666.tif 000007